(57)【特許請求の範囲】
【請求項１】
ケーシングと、その内部に配設されたハニカム構造の多孔質セラミックフィルタとからなり、600℃以上の温度で再生処理がされる排気ガス浄化装置に用いられるフィルタとして、
長手方向に沿って並列する複数の貫通孔を有し、これらの貫通孔の各端面はそれぞれ市松模様状に目封じされると共に、ガスの入側と出側とでは開閉が逆の方向を有し、これらの貫通孔の隣接するものどうしは多孔質な隔壁を通じて互いに通気可能にしてなる炭化珪素製フィルタユニットの複数個にて構成し、かつこれらのフィルタユニット相互間に、少なくともコロイダルゾルである無機バインダーを含む接着性シール材を介在させることによって接着して集合体としてなることを特徴とする排気ガス浄化装置用フィルタ。
【請求項２】
前記フィルタユニットは、これらの相互間に、無機繊維、無機バインダー、有機バインダーおよび無機粒子を介在させて接着することを特徴とする請求項１に記載の排気ガス浄化装置用フィルタ。
【請求項３】
前記フィルタユニットは、熱伝導率が0.05cal/cm・sec・℃以上であることを特徴とする請求項１または２に記載の排気ガス浄化装置用フィルタ。
【請求項４】
前記貫通孔の数は、50〜300個／平方インチであることを特徴とする請求項１〜３のいずれか１項に記載の排気ガス浄化装置用フィルタ。
【請求項５】
前記貫通孔の壁の厚みは、0.2〜0.6mmであることを特徴とする請求項１〜４のいずれか１項に記載の排気ガス浄化装置用フィルタ。
【請求項６】
前記無機繊維は、アルミナーシリカセラミックファイバー、アルミナファイバー、ジルコニアファイバーまたはシリカファイバーであることを特徴とする請求項１〜５のいずれか１項に記載の排気ガス浄化装置用フィルタ。
【請求項７】
前記無機バインダーは、アルミナゾルまたはシリカゾルであることを特徴とする請求項１〜６のいずれか１項に記載の排気ガス浄化装置用フィルタ。
【請求項８】
前記有機バインダーは、ポリビニルアルコール、メチルセルロース、エチルセルロースまたはカルボキシメチルセルロースであることを特徴とする請求項１〜７のいずれか１項に記載の排気ガス浄化装置用フィルタ。
【請求項９】
前記無機粒子は、炭化珪素、窒化珪素または窒化硼素であることを特徴とする請求項１〜８のいずれか１項に記載の排気ガス浄化装置用フィルタ。
【発明の詳細な説明】
【０００１】
【発明の属する技術分野】
この発明は、内燃機関から排出される排気ガスを浄化するための排気ガス浄化装置用フィルタに関し、特に、排気ガス中に含まれる粒子状物質（パティキュレート）を捕集し除去する効果に優れた排気ガス浄化装置用フィルタついて提案する。
【０００２】
【従来の技術】
排気ガス浄化装置は、主として、ケーシングとその内部に配設されたフィルタおよび必要に応じてこのフィルタに取り付けられる発熱体とから構成され、該フィルタに捕集した排気ガス中のパティキュレートを、発熱体を介して燃焼させ、該フィルタから除去する処理（以下、単に「再生」という）を行うための装置である。このような排気ガス浄化装置のフィルターとしては、従来、ハニカム構造を有するコーディライト（２MgＯ・２Al2O3 ・５SiO2）製のセラミックフィルタなどが提案されている（特許文献１参照）。
【０００３】
コーディライト製フィルタの再生は、該フィルタの軸端面の近傍に電気ヒータを配設し、この発熱体の輻射熱にて該フィルタの一端面を加熱することにより、まず、フィルタ端面側に付着捕集したパティキュレートに着火し、これを燃焼させると同時に、その燃焼をガスの流れ方向である軸方向に逐次的に伝播させることにより行っていた。
【０００４】
しかしながら、コーディライト製フィルタは熱伝導性が悪いため、パティキュレート燃焼の伝播に伴い、局部的な発熱による鋭角的な温度分布（燃焼ピーク）を生じる欠点があった。即ち、このコーディライト製フィルタは、熱膨張の小さい部材であるにもかかわらず、最終的には熱応力疲労を受けてクラックが発生し易いという問題があった。特に、捕集したパティキュレートが多いと、燃焼時の発熱量が大きくなり、フィルタが局部的に耐熱温度以上の温度にまで加熱されて溶損してしまうことさえあった。一方で、パティキュレートの捕集量が少ないうちに再生を行うと、燃焼時の発熱量も小さく、燃焼の伝播が十分に進まないため、パティキュレートの燃え残りを生ずるという問題があった。
【０００５】
このことから上記従来技術は、再生時における諸条件（捕集量、ヒータ温度、通電時間、燃焼用空気の供給量、エンジンの運転条件等）を厳しく制御しなければならなかった。しかも、コーディライト製フィルタは、多孔質な壁の品質（気孔径分布）を制御することが難しく、製品品質にバラツキを生じ易いので、極めて安全率の高い設計が必要であった。しかし、再生状態を左右する要因は上述したように複雑であることから、これらの要因を厳密に制御することは容易ではなかった。
【０００６】
これに対し、前記ヒータをフィルタ軸端面に配置する上記従来技術の問題点を解消する方策として、例えば電気ヒータをフィルタの外周面に巻回する技術も検討された。つまり、この技術は、フィルタの外周面全体を加熱することによって、再生時におけるフィルタ内の温度差を極力小さくしようとしたものである。しかし、この従来技術も、燃焼空気の流れによって燃焼ピークが生じるため、長期の耐久性に劣り、クラックの発生を阻止できないという問題があった。
【０００７】
そこで、発明者らは先に、上記の実情に鑑みて、一体形である従来のフィルタに代え、複数個の多孔質セラミック製フィルタユニットを結束させて１つの集合体とした分割形フィルタを開発し、特にフィルタユニット相互間に発熱体（電気ヒータ）を介在させ、パティキュレートを除去してフィルタの再生を行う排気ガス浄化装置、およびその構成体を提案した（特許文献２参照）。
【０００８】
発明者らが先に提案した上記排気ガス浄化装置は、フィルタを分割してユニット化し、このユニットを組み合わせて集合体とした大きなフィルタを構成し、これらのユニット間に発熱体を介在させた分割形フィルタである。それ故に、再生時におけるフィルタ内の温度差はある程度改善することができる。
【０００９】
しかしながら、発明者らの研究によれば、上記提案の排気ガス浄化装置では、隣接する各フィルタユニットの間に介在させるヒータの発熱量を、ヒータの位置に関係なく均等にすると、パティキュレートの燃焼熱は、フィルタ中央側のユニットではこもり（滞留し）易く、外側（端面側ならびに外周面側）のユニットでは放散し易い。その結果、温度分布が不均一となって、しばしばクラックが発生するという問題が見られた。すなわち、ヒータの発熱量を均等にするだけでは、パティキュレートの燃焼熱による局部的な燃焼ピークの発生を阻止することはできないということが判った。
特に、炭化珪素製フィルタは、それ自体の熱容量が大きく電力消費も大きいので、ユニット化しても熱効率のよい加熱方法を用いなければ短時間で燃焼温度に到達できない。しかも、炭化珪素製フィルタは、熱膨張率が大きいので、コーディライトに比べて程度は低いものの燃焼熱の伝播による燃焼ピークが生じることから、クラックが発生し易いという問題がやはりあった。
つまり、炭化珪素製フィルタは、この材料の熱伝導性が良すぎるために放熱が大きく、なかなか再生温度に到達しないという問題があり、また、熱膨張率が大きいために低い燃焼ピークでの熱疲労によってもクラックが発生し易いという問題があった。
【００１０】
【特許文献１】
特開昭５７−００７２１６号公報
【特許文献２】
特開平０７−０５４６４３号公報
【００１１】
【発明が解決しようとする課題】
この発明の目的は、燃焼効率（再生効率）に優れ、耐久性に優れる（クラックの発生を防止できる）排気ガス浄化装置用フィルタを提供することにある。
【００１２】
【課題を解決するための手段】
上記目的の実現に向け、発明者らはさらに研究を続けた結果、以下に示す内容を要旨とする発明の構成に想到した。すなわち、この発明は、ケーシングと、その内部に配設されたハニカム構造の多孔質セラミックフィルタとからなり、600℃以上の温度で再生処理がされる排気ガス浄化装置に用いられるフィルタとして、長手方向に沿って並列する複数の貫通孔を有し、これらの貫通孔の各端面はそれぞれ市松模様状に目封じされると共に、ガスの入側と出側とでは開閉が逆の方向を有し、これらの貫通孔の隣接するものどうしは多孔質な隔壁を通じて互いに通気可能にしてなる炭化珪素製フィルタユニットの複数個にて構成し、かつこれらのフィルタユニット相互間に、少なくともコロイダルゾルである無機バインダーを含む接着性シール材を介在させることによって接着して集合体としてなることを特徴とする排気ガス浄化装置用フィルタである。
なお、本発明の排気ガス浄化装置用フィルタにおいては、前記フィルタユニットは、これらの相互間に、無機繊維、無機バインダー、有機バインダーおよび無機粒子を介在させて接着すること、前記フィルタユニットは、熱伝導率が0.05cal/cm・sec・℃以上であること前記貫通孔の数は、50〜300個／平方インチであること、前記貫通孔の壁の厚みは、0.2〜0.6mmであること、前記無機繊維は、アルミナーシリカセラミックファイバー、アルミナファイバー、ジルコニアファイバーまたはシリカファイバーであること、前記無機バインダーは、アルミナゾルまたはシリカゾルであること、前記有機バインダーは、ポリビニルアルコール、メチルセルロース、エチルセルロースまたはカルボキシメチルセルロースであること、および前記無機粒子は、炭化珪素、窒化珪素または窒化硼素であることが好ましい。
【００１３】
【発明の実施の形態】
この発明にかかる排気ガス浄化装置用フィルタは、多孔質セラミックからなる複数個のフィルタユニットが、これらのユニット相互間に、少なくともコロイダルゾルである無機バインダーを含む弾性質素材の接着性シール材を介在させてかつ一体に接着してなるものにて構成されている点に特徴がある。
【００１４】
この発明において、上記シール材は、隣接するフィルタユニット間に生じる隙間を埋めると共に、フィルタユニット同士の接合を図るための接着剤として作用する。これにより、空気漏れによる浄化効率の低下やフィルタの耐久性を改善することができる。
【００１５】
このシール材は、耐熱性のほかに、弾性、熱伝導性、接合性および強度等を備えていることが好ましい。それは、弾性に優れていると、加熱によってフィルタに熱応力が加わるようなときでも、その熱応力を確実に開放することができるからである。また、熱伝導性に優れていると、発熱体の熱が各フィルタユニットに速やかにかつムラなく伝導し、排気ガス浄化装置内部の温度差も小さくなるからである。また、接合性および強度に優れたものであると、隣接して設けられているフィルタユニット同士の接合性が優れ、排気ガス浄化装置自体の耐久性も優れるものとなるからである。
【００１６】
このシール材の組成は、少なくともコロイダルゾルからなる無機バインダーを含み、無機繊維、有機バインダーおよび無機粒子からなることが望ましい。かかる組成からなる弾性質素材は、シール材に望まれる上記の特性、即ち耐熱性、弾力性、熱伝導性、接着性および排気ガスシール性等を有しているからである。この場合、無機繊維としては、セラミックファイバー、例えばアルミナ−シリかセラミックファイバー，アルミナファイバー，ジルコニアファイバーおよびシリカファイバー等がある。コロイダルゾルからなる無機バインダーとしては、例えばアルミナゾルやシリカゾルなどがある。有機バインダーとしては、親水性有機高分子が望ましく、特に多糖類がさらに好ましい。具体的には、ポリビニルアルコールやメチルセルロース，エチルセルロース，カルボキシメチルセルロースがあるが、特にカルボキシメチルセルロースが望ましい。無機粒子としては、炭化物および窒化物から選ばれる少なくとも１種以上の無機粒子が望ましく、例えば炭化珪素、窒化珪素および窒化硼素がある。これら炭化物や窒化物は、熱伝導率が非常に大きく、セラミックファイバー表面やコロイダルゾルの表面および内部に介在して熱伝導性の向上に寄与する。
【００１７】
この発明において、フィルタを構成する各フィルタユニットは、断面形状が三角形、正方形、長方形または正六角形の柱状をなし、そのフィルタユニットを１個または複数個を組み合わせて角柱状に結束させて、フィルタとするものである。このような形状のフィルタユニットを用いることによって、排気ガス浄化装置の実装上の制約が少なくなるから好ましい。また、フィルタユニットは、多孔質セラミック焼結体によってハニカム状に形成されたものであることが望ましい。多孔質セラミック焼結体は耐熱性および熱伝導性に優れ、ハニカム状のフィルタユニットは、微粒子の補集量を増したときでも圧力損失が小さいからである。
【００１８】
上記フィルタユニットは、「加熱効率」および「温度制御性」の観点から、熱伝導率が0.05cal／cm・sec・℃以上である材料を用いることが好ましい。0.05cal／cm・sec ・℃未満では、セラミックフィルタの再生時に該フィルタの中心部と周縁部との温度差が大きくなりすぎることから実用上好ましくないからである。
これらの指標を満足する材料としては、ムライト・コージライト、炭化珪素、窒化珪素、窒化アルミニウム、フォルステライト、ステアタイト等が使用できるが、本発明においては、高熱伝導率という観点から、炭化珪素を用いる。
【００１９】
上記フィルタユニットは、それの気孔率が、30〜90％、より好ましくは40〜60％であることが望ましい。30％より小さいと圧損が大きくなり過ぎ、一方、90％より大きくなるとパーティキュレートの補集率が悪くなるからである。また、平均気孔径は、５〜40μｍであることが望ましい。５μｍより小さいと圧損が大きくなり過ぎ、一方、40μｍより大きくなるとパーティキュレートの補集率が悪くなるからである。
【００２０】
この発明にかかるフィルタユニットおいて、１つの貫通孔のいずれか一端を目封じして形成されるセルの断面形状は、該フィルタユニットの断面形状と同一にするのがよい。加熱時に貫通孔の膨張差に起因する該フィルタユニットの外周に働く引っ張り力が等方に働くので、熱歪みの発生を防止できるからである。
【００２１】
このセルの数は、貫通孔の数であり、50〜300 個／平方インチであることが望ましい。50個／平方インチ未満では、濾過面積が少なくなるので単位時間・単位容積当たりのパーティキュレート補集量が少なくなるし、一方、300 個／平方インチより多くなると、セル一個当たりの開口面積が小さくなり過ぎ圧損が上昇するからである。
また、セル（貫通孔）の壁の厚み（隣接するセルの壁間距離）は、0.2 〜0.6mm であることが望ましい。0.2mm 未満では、フィルタユニットの機械的強度が弱くなり、一方、0.6mm を超えると、濾過面積が少なくなるので単位時間・単位容積当たりのパーティキュレート補集量が少なくなるからである。
【００２２】
なお、この発明においては、セラミックファイバーからなる熱膨張性の断熱材をその最外周部に設置してもよい。その理由は、排気ガス浄化装置用フィルタの最外周部から熱が逃げてしまうことを防止することにより、再生時のエネルギーロスを最小にすることができるからである。また、再生時の熱によって断熱材を膨張させることにより、排気ガスの圧力，走行による振動等によるフィルタの位置ずれを防止することができるからである。
ここでいう熱膨張性の断熱材としては、例えば、セラミックファイバー63 wt％、バーミキュライト20 wt％およびα−セピオライト７wt％の混合体からなるものがある。
【００２３】
【実施例】
以下に、この発明に係るフィルタを具える排気ガス浄化装置を、ディーゼルエンジン用の排気ガス浄化システムに具体化した実施例を図１〜図６に基づき詳しく説明する。図１は、この発明に係るフィルタを具える排気ガス浄化装置を適用した排気ガス浄化システム１を示す概略図である。この図において、金属製のケーシング２は、内燃機関としてのディーゼルエンジンＥの排気管路Ｅａに接続されている。このケーシング２には、ディーゼルエンジンＥから排出されるガス中のパティキュレートを除去するためのフィルタ３が配設されている。４は、シール材５中に埋設された発熱体（ヒータ）であり、発熱量制御機構６に連結されている。図１に示すように、発熱体４の末端は、配線を介してバッテリー（24Ｖ）９に電気的に接続されている。この場合、24Ｖのバッテリー９の代わりに12Ｖのバッテリーを使用しても良い。また、前記バッテリー９よりも高電圧（100 Ｖの家庭用電源または200 Ｖの商用電源等）の電源を使用しても良い。発熱量制御機構６は、例えば図１に示すように、圧力検出器１１や温度検出器１２、燃焼二次エアー供給手段１３などから構成されている。
【００２４】
図２は、排気ガス浄化装置に取付けられるフィルタ３を示す図であり、図３は、このフィルタの部分断面拡大図である。これらの図において、フィルタ３は、８本の角柱状のフィルタユニット７と４本の断面直角二等辺三角形状のフィルタユニット８を、ユニット相互間に弾性質素材からなるシール材（厚さ1.5〜3.0mm）５を介在させて一体に接着した構成にあり、前記シール材５には発熱体４が埋設されている。本実施例の場合、各フィルタユニット７，８の発熱体４間は直列に接続されている。なお、フィルタ３の最外周部には、厚さ10mmの断熱材１０を配設してもよい。
【００２５】
図４〜６は、フィルタ３を構成するフィルタユニット７を示す図である。これらの図において、角柱状（33mm×33mm×150mm ）のフィルタユニット７には、断面略正方形状の貫通孔7aがその軸線方向に沿って規則的に形成されている。これらの貫通孔7aは、厚さ0.3mm の多孔質な隔壁7bによって互いに隔てられている。各貫通孔7aの排気ガス流入側または流出側のいずれかの一端は、多孔質焼結体製の封止片7cによって市松模様状に封止されている。その結果、フィルタユニット７の流入側または流出側のいずれか一方のみに開口するセルC1，C2が形成された状態となっている。なお、セルC1，C2の隔壁7bには、白金族元素やその他の金属元素およびその酸化物等からなる酸化触媒を担持してもよい。担持するとパティキュレートの着火温度が低下するためである。
また、フィルタユニット８は、断面形状が直角二等辺三角形状であることを除いてフィルタユニット７と同様の構成を有している。そして、この実施例のフィルタ３を構成するフィルタユニット７，８の場合、平均気孔径が10μｍ、気孔率が43％、セル壁の厚さが0.3mm 、セルピッチが1.8 mm に設定されている。
【００２６】
このような排気ガス浄化システム１の配置構成において、ディーゼルエンジンＥを始動させたときの排気ガスの流れについて説明する。まず、図５にて矢印A1で示すように、排気ガスはまずフィルタユニット７，８の流入側に開口するセルC1内に導入される。次いで、排気ガスは多孔質な内壁7bを通過し、隣接するセルC2、即ち流出側に開口するセルC2内に導入される。このとき、排気ガス中に含まれるパティキュレートの移動が内壁7bによって阻止される。よって、パティキュレートのみが内壁7bにトラップされる。そして、浄化された排気ガスは、流出側に開口するセルC2内を抜けて、最終的にフィルタユニット７，８から排出されることになる。
【００２７】
次に、捕集したパティキュレートをフィルタ３から除去する再生処理について図７にしたがって説明する。まず、フィルタ３によるパティキュレートの捕集が進み、フィルタ３の上流側の排気管路Ｅａに取付けられた圧力検出器11で設定値以上の圧力損失を検出すると、切換えバルブが作動して、バイパス側の通路が開き、フィルタ側の通路が閉じて、フィルタ３の発熱体４への通電が開始する。
次に、フィルタの排気ガス流入側に取付けた温度検出器１２で設定値（パティキュレートの燃焼開始温度）以上の温度を検出すると、コンプレッサーなどの燃焼二次エアー供給手段13にて燃焼エアーが供給され、パティキュレートの燃焼が開始する。
その後、燃焼の伝播に伴い、フィルタの排気ガス流出側に取付けた温度検出器12で設定値以上の温度を検出すると、再生を完了したという指令が出されて通電が終了する。
そして、切換えバルブが作動して元の状態に復帰し、再びフィルタ３によるパティキュレートの捕集が開始される。
この実施例は、以上説明したような構成にある排気ガス浄化装置を作製して、再生時の燃焼ピークの発生状態について評価を行ったものである。
【００２８】
（実施例１）
(1) α型炭化珪素粉末51.5重量％とβ型炭化珪素粉末22重量％とを湿式混合し、得られた混合物に有機バインダー（メチルセルロース）と水とをそれぞれ6.5重量％、20重量％ずつ加えて混練した。次に、可塑剤と潤滑剤を少量加えてさらに混練し、この混練物を押出成形することにより、ハニカム状の生成形体を得た。
(2) この生成形体をマイクロ波による乾燥機を用いて乾燥し、その後、成形体の貫通孔7aを多孔質焼結体製の封止片7c形成用のペーストによって封止した後、再び乾燥機を用いて封止片7c用ペーストを乾燥させた。そして、この乾燥体を400 ℃で脱脂した後、更にそれをアルゴン雰囲気下にて2200 ℃で焼成し、図４に示す多孔質でハニカム状のフィルタユニット７，８を得た。
(3) セラミックスファイバー（アルミナシリケートセラミックスファイバー、ショット含有率３％、繊維長さ0.1 〜100 mm ）23.3重量％、平均粒径0.3 μｍの炭化珪素粉末30.2重量％、無機バインダーとしてのシリカゾル（ゾルのSiO2の換算量は30％）７重量％、有機バインダーとしてカルボキシメチルセルロース0.5重量％および水39重量％を混合し、混練したものをペースト状にしてシール材５を作成した。
(4) フィルタユニット７，８相互間にヒータ４を埋設した状態で前記シール材５を充填し、50〜100 ℃×１時間にて乾燥，硬化して、フィルタユニット７，８とシール材５とを接合して一体化した、図２に示すようなフィルタ３を作製した。
(5) 最後に、フィルタ３の最外周部をセラミックスファイバーの熱膨張性断熱材（イビデン製、商品名；フレックス）10で被覆し、所望の排気ガス浄化装置を作製した。
【００２９】
このようにして作製した排気ガス浄化装置に関し、とくに構造体にヒータを設置し、下記構成（ａ） にかかる従来の排気ガス浄化装置と、下記構成（ｂ）にかかる本願発明の排気ガス浄化装置とを比較して、再生時の燃焼ピークがどのように改善されるかを調べた。その結果を本願発明の排気ガス浄化装置については図８に、従来の排気ガス浄化装置については図９に示す。なお、これらの図は、図１０に示すフィルタ３において、フィルタユニットNo. ８の中央軸線方向に測温した結果を経時的に示したグラフであり、捕集量が12g／フィルタの単位容積（ｌ）の場合の結果である。
（ａ） 従来の排気ガス浄化装置にかかるフィルタの構成は、ヒータとして金属製ヒータ（カンタル線，直径 1.5 mm）を用い、図１０に示すフィルタユニットNo.1〜12が、総てほぼ同じ発熱量（密度は、0.6 W／cm3 ）になるようなヒータ配線である構成とした。
（ｂ） 本発明にかかるフィルタの構成は、ヒータとして従来と同様な金属製ヒータ（カンタル線，直径1.5 mm ）を用い、表１に示すような発熱量分布になるようなヒータ配線である構成とした。
なお、（ａ）、（ｂ） ともにヒーター容量は 1.3 kWとした。
【００３０】
【表１】
0004037733.tif 000002
【００３１】
図８（ａ） において、まず、ヒータが通電すると、初期の段階では、フィルタ３の温度分布は、ヒータの発熱量分布の影響を強く受けて軸方向中央部が低温となる凹状の分布を示す。この温度分布は、時間の経過とともに、端面からの放熱と中央部への熱伝導により、排気ガス流入側から流出側に滑らかに上昇する勾配を形成するようになる。そして、排気ガス流入側の温度がパティキュレート（黒鉛）の燃焼開始温度（約600 ℃）に達すると、これと同時に燃焼空気が20l/h の割合で導入される。その結果、図８（ｂ）に示すように、燃焼の伝播とともに一定の勾配の温度分布を形成する。
【００３２】
図９に示す結果から明らかなように、従来の排気ガス浄化装置による再生では、時間の経過とともに、燃焼部の発熱量による凸状の温度分布が形成され、50〜80℃の局部的に突発的な燃焼ピークが発生し、ひいては、フィルタが割れてしまうことが判った。これに対し、図８に示す結果から明らかなように、本発明のフィルタを具える排気ガス浄化装置による再生では、燃焼部の発熱量による部分的な温度上昇が制御された温度分布に吸収されて燃焼ピークの発生を防止できる。その結果、フィルタが割れることなくフィルタの耐久性を向上させることができる。なお、捕集量が20g/フィルタの単位容積（ｌ）の場合も同様の結果が得られた。
【００３３】
次に、捕集量が12g/フィルタ容積または20g/フィルタ容積、燃焼空気導入量が20l/h である条件にて、再生したときのフィルタの温度分布結果（例えば、図８，図９）から、有限要素法によってフィルタ内の最大引張り応力を算出した。その結果を表２に示す。この表に示す結果から明らかなように、フィルタ内に発生する最大引張り応力は、フィルタ材料の引張り破断強度（６kg）に対して小さな値である。すなわち、本発明にかかるフィルタは、耐久性に優れることが判った。
【００３４】
【表２】
0004037733.tif 000003
【００３５】
さらに、発明者らは、燃焼効率（再生効率）に関し、すすの燃え残りが出るかどうかを調べたところ、フィルタ内の温度分布を制御することができるこの発明の排気ガス浄化装置によれば、パティキュレートの完全燃焼を実現できることを確認した。
【００３６】
なお、図１０に示すような１〜12の各フィルタユニットに設置したヒータの発熱量分布に関し、該ユニットを軸方向に３等分割して得られるガス入側Ａ（ガス入口から33.3 ％の部分）、ガス出側Ｃ（ガス出口から33.3 ％の部分）、中央部Ｂ（ガス入側Ａとガス出側Ｃを除いた領域）のそれぞれの発熱量が、以下に示す範囲に設定されるように発熱量制御機構を制御することが望ましい。但し、各フィルタユニットに接しているヒータのエネルギーは、接しているユニット総てに同等に供給されるものとする。
▲１▼フィルタユニットNo１，４，９，１２
ヒータの発熱量分布が、ガス入側Ａでは、0.1 〜3.0 Ｗ／cm3 、好ましくは0.5 〜2.0 Ｗ／cm3 、より好ましくは0.8 〜1.6 Ｗ／cm3 であり、中央部Ｂでは、0.1 〜3.0 Ｗ／cm3 、好ましくは0.2 〜1.6 Ｗ／cm3 、より好ましくは0.5 〜1.3 Ｗ／cm3 であり、ガス出側Ｃでは、0.1 〜3.0 Ｗ／cm3 、好ましくは0.5 〜2.0 Ｗ／cm3 、より好ましくは0.8 〜1.6 Ｗ／cm3 となるように、ヒータを配置する。
なお、これらのユニットは、複合形フィルタのエッジ部を構成し、放熱量が大きいため、三角形状として体積を減らしている。
▲２▼フィルタユニットNo２，３,１０,１１
ヒータの発熱量分布が、ガス入側Ａでは、0.1 〜3.0 Ｗ／cm3 、好ましくは0.1 〜1.5 Ｗ／cm3 、より好ましくは0.2 〜1.2 Ｗ／cm3 であり、中央部Ｂでは、0.1 〜2.0 Ｗ／cm3 、好ましくは0.1 〜1.0 Ｗ／cm3 、より好ましくは0.1 〜0.7 Ｗ／cm3 であり、ガス出側Ｃでは、0.1 〜3.0 Ｗ／cm3 、好ましくは0.1 〜1.5 Ｗ／cm3 、より好ましくは0.2 〜1.2 Ｗ／cm3 となるように、ヒータを配置する。
▲３▼フィルタユニットNo５，８
ヒータの発熱量分布が、ガス入側Ａでは、0.1 〜3.0 Ｗ／cm3 、好ましくは0.1 〜2.0 Ｗ／cm3 、より好ましくは0.2 〜1.4 Ｗ／cm3 であり、中央部Ｂでは、0.1 〜3.0 Ｗ／cm3 、好ましくは0.1 〜2.0 Ｗ／cm3 、より好ましくは0.2 〜1.4 Ｗ／cm3 であり、ガス出側Ｃでは、0.1 〜3.0 Ｗ／cm3 、好ましくは0.1 〜2.0 Ｗ／cm3 、より好ましくは0.2 〜1.4 Ｗ／cm3 となるように、ヒータを配置する。
▲４▼フィルタユニットNo６，７
ヒータの発熱量分布が、ガス入側Ａでは、0.0 〜2.0 Ｗ／cm3 、好ましくは0.05〜1.2 Ｗ／cm3 、より好ましくは0.1 〜0.7 Ｗ／cm3 であり、中央部Ｂでは、0.0 〜1.5 Ｗ／cm3 、好ましくは0.05〜0.8 Ｗ／cm3 、より好ましくは0.1 〜0.4 Ｗ／cm3 であり、ガス出側Ｃでは、0.0 〜2.0 Ｗ／cm3 、好ましくは0.05〜1.2 Ｗ／cm3 、より好ましくは0.1 〜0.7 Ｗ／cm3 となるように、ヒータを配置する。
【００３７】
【発明の効果】
以上説明したようにこの発明の排気ガス浄化装置用フィルタによれば、再生時の燃焼ピークを防止することが可能であり、再生効率、耐久性を改善することができる。
【図面の簡単な説明】
【図１】この発明のフィルタを具える排気ガス浄化装置を適用した排気ガス浄化システムを示す概略図である。
【図２】排気ガス浄化装置に取付けた本発明のフィルタを示す斜視図である。
【図３】排気ガス浄化装置に取付けた本発明にかかるフィルタの部分拡大断面図である。
【図４】この発明にかかるフィルタを構成するフィルタユニットを示す斜視図である。
【図５】図４のＡ−Ａ線における一部破断拡大断面図である。
【図６】図５のＢ−Ｂ線における拡大断面図である。
【図７】再生の処理工程を示すフローチャートである。
【図８】この発明にかかるフィルタを具える排気ガス浄化装置を用いた再生に関し、フィルタ内温度分布の（ａ） 燃焼空気導入前、（ｂ）燃焼空気導入後の経時変化を示す図である。
【図９】従来の排気ガス浄化装置を用いた再生に関し、フィルタ内温度分布の（ａ） 燃焼空気導入前、（ｂ）燃焼空気導入後の経時変化を示す図である。
【図１０】排気ガス浄化装置用フィルタの各ユニットの分画番号と、ガス入側Ａ，中央部Ｂ，ガス出側Ｃ、を表す図である。
【符号の説明】
１ 排気ガス浄化システム
２ ケーシング
３ フィルタ
４ 発熱体（ヒータ）
５ シール材
６ 発熱量制御機構
７，８ フィルタユニット
９ バッテリー
１０ 断熱材
１１ 圧力検出器
１２ 温度検出器
１３ 燃焼二次エアー供給手段
【図１】
0004037733.tif 000004
【図２】
0004037733.tif 000005
【図３】
0004037733.tif 000006
【図４】
0004037733.tif 000007
【図５】
0004037733.tif 000008
【図６】
0004037733.tif 000009
【図７】
0004037733.tif 000010
【図８】
0004037733.tif 000011
【図９】
0004037733.tif 000012
【図１０】
0004037733.tif 000013